(57)【要約】【課題】  筐体を大型化することなく携帯電話機にプロジェクタ機能を付加する。【解決手段】  折り畳み式携帯電話機の上筐体に、開成した際に露出するように設けられた第１の表示部１２及び上筐体に閉成した状態でも露出するように設けられた第２の表示部１３のうち、第２の表示部１３に透過型のカラーＬＣＤを設け、バックライトとして超高輝度ＬＥＤ１４を設ける。プロジェクタモードとなると、制御部１５は、超高輝度ＬＥＤ１４を発光駆動すると共に、投影する画像を第２の表示部１３に反転表示する。これにより、第２の表示部１３に表示された画像がスクリーン等に投影される。サブ表示部とプロジェクタ用の表示部を兼用しており、超高輝度ＬＥＤ１４及び光学系を筐体内に組み込むだけで実現することができるため、現状の筐体の大きさを維持したうえで、携帯電話機にプロジェクタ機能を付加することができる。【選択図】  図１
2005191838.tif 000002
【特許請求の範囲】
【請求項１】
透過型の表示手段と、
上記透過型の表示手段のバックライトとして設けられた発光手段と、
上記発光手段からの光を上記表示手段に照射する光学系と、
通常時には、低輝度で発光するように上記発光手段を発光駆動すると共に、上記表示手段に対して所定の画像を表示し、プロジェクタモード時には、高輝度で発光するように上記発光手段を発光駆動すると共に、上記表示手段に対して所定の画像を表裏反転して表示する制御手段と
を有する携帯端末装置。
【請求項２】
請求項１に記載の携帯電話機であって、
上記発光手段は、超高輝度発光ダイオードであること
を特徴とする携帯端末装置。
【請求項３】
請求項１又は請求項２に記載の携帯端末装置であって、
装着された際に上記表示手段の前面に位置する投影レンズが設けられた着脱自在なパネルを有すること
を特徴とする携帯端末装置。
【請求項４】
請求項１から請求項３のうち、いずれか一項に記載の携帯端末装置であって、
メイン表示手段及びサブ表示手段の、少なくとも２つの表示手段を有し、
上記透過型の表示手段は、上記サブ表示手段であること
を特徴とする携帯端末装置。
【発明の詳細な説明】
【技術分野】
【０００１】
本発明は、携帯電話機，ＰＨＳ電話機（Personal Handyphone System），ＰＤＡ装置（Personal Digital Assistant），ノート型のパーソナルコンピュータ装置等に適用して好適な携帯端末装置に関する。
【背景技術】
【０００２】
従来、以下の特許文献１に、映写装置付き携帯電話が開示されている。この映写装置付き携帯電話は、映写装置が携帯電話機に一体的に組み込まれており、この映写装置の映像を、携帯電話機の筐体の上面部や側面部等に設けられたレンズ部分を介して投射するようになっている。
【０００３】
【特許文献１】特開２００２−７７３２７公報（第２頁：図１）
【発明の開示】
【発明が解決しようとする課題】
【０００４】
しかし、この特許文献１に記載されている映写装置付き携帯電話は、携帯電話とは別に形成された映写装置を、携帯電話機の筐体に組み込むようになっている。また、映写装置レンズ部分を筐体の側面部に設けるようになっている。このため、筐体の側面部に映写装置レンズ部分を設けるスペースを必要とするうえ、筐体に映写装置を組み込む分のスペースを必要とし、携帯電話機の筐体が大型化する問題があった。
【０００５】
本発明は、上述の課題に鑑みてなされたものであり、筐体を大型化することなくプロジェクタ機能を付加することができるような携帯端末装置の提供を目的とする。
【課題を解決するための手段】
【０００６】
本発明は、上述の課題を解決するための手段として、透過型の表示手段と、上記透過型の表示手段のバックライトとして設けられた発光手段と、上記発光手段からの光を上記表示手段に照射する光学系と、通常時には、低輝度で発光するように上記発光手段を発光駆動すると共に、上記表示手段に対して所定の画像を表示し、プロジェクタモード時には、高輝度で発光するように上記発光手段を発光駆動すると共に、上記表示手段に対して所定の画像を表裏反転して表示する制御手段とを有する。
【発明の効果】
【０００７】
本発明は、透過型の表示手段を、通常の表示手段及びプロジェクタ用の表示手段として兼用することにより、筐体を大型化することなくプロジェクタ機能を付加することができる。
【発明を実施するための最良の形態】
【０００８】
本発明は、携帯電話機に適用することができる。
【０００９】
〔電気的構成〕
この本発明の実施の形態となる携帯電話機は、図１に示すように無線基地局に対してデータの送受信を行うアンテナ１及び通信回路２と、受話音声，動画ファイルの音声，音楽データの音声等の音声出力を得るためのスピーカ部３と、送話音声等を集音するマイクロホン４と、所望の被写体を撮像するカメラ部５と、カメラ部５の撮像制御を行う撮像制御部６とを有している。
【００１０】
また、この携帯電話機は、所定の入力操作を行うための複数のキーが設けられた操作部７と、通信アプリケーションプログラム，Ｗｅｂブラウザのアプリケーションプログラム，テレビ電話用のアプリケーションプログラム，テレビ放送視聴用のアプリケーションプログラム等の各種プログラムが記憶されたＲＯＭ８と、電話帳やスケジュール帳のデータや、送受信される携帯メールの文章、さらにはカメラ部７で撮像された静止画像や動画像等の各種データが記憶されるＲＡＭ９と、テレビジョン放送信号を受信するテレビジョンアンテナ１０と、テレビジョンアンテナ１０により受信されたテレビジョン放送信号からユーザより指定されて所望のチャネルのテレビジョン放送信号を選局するチューナ１１とを有している。
【００１１】
また、この携帯電話機は、上記携帯メールの文章，静止画像や動画像，日付情報等が表示される第１の表示部１２及び第２の表示部１３と、第２の表示部１３（及び第１の表示部１２）のバックライトとなり、プロジェクタモード時に超高輝度で点灯駆動される超高輝度発光ダイオード１４（超高輝度ＬＥＤ：High Brightness LED）と、制御ライン、及び／又は、データラインを介して上記各部２〜１４と相互に接続された制御部１５とを有している。
【００１２】
この携帯電話機の場合、図２に示すように上筐体２１及び下筐体２２の各一端部をヒンジ部２３を介して回動可能に接続した、いわゆる折り畳み式の携帯電話機となっている。このヒンジ部２３には、当該ヒンジ部２３の回転軸を中心として回動する上記カメラ部５が設けられている。
【００１３】
また、上筐体２１の上面部には上記第２の表示部１３が設けられており、この図２には図示はされていないのであるが、上筐体２１の裏面部（折り畳んだ際に、下筐体２２の上面部と相対向する面部）には上記第１の表示部１２が設けられている。また、下筐体２２の上面部（折り畳んだ際に、上筐体２１の裏面部と相対向する面部）には、上記操作部７が設けられている。
【００１４】
また、上記第１の表示部１２は、例えば２．４インチサイズなのであるが、上記第２の表示部１３は、例えば１．２インチサイズとなっている。すなわち、第１の表示部１２は、上記携帯メールの文章等を表示するためのメイン表示部となっており、第２の表示部１３は、例えば日付情報や小さめの待ち受け画像等を表示するサブ表示部となっている。
【００１５】
当該携帯電話機においては、この第２の表示部１３を、通常時には、上記待ち受け画像等を表示するサブ表示部として用い、プロジェクタモード時には、投射用の表示部として用いるようになっている。
【００１６】
具体的には、この第２の表示部１３としては、各画素が高温ポリシリコン（HTPS：High Temperature Poly-Silicon）で形成された薄膜トランジスタを有するアクティブマトリクス駆動方式の透過型カラーＬＣＤ（LCD：Liquid Crystal Display）が設けられている。
【００１７】
この第２の表示部１３は、高温で製造されるため、容易に微細化（多画素化，高開口率化）を図ることができ、また、ドライバを基板上に生成することができるようになっている。
【００１８】
また、超高輝度ＬＥＤ１４からは様々な偏光方向の光が出射されるのであるが、この第２の表示部１３は、Ｐ偏光波を透過させＳ偏光波を反射する偏光分離膜と、偏光分離膜で反射されたＳ偏光波を偏光方向をλ／２回転（＝９０度回転）させることで、該Ｓ偏光波をＰ偏光波に変換するλ／２板とを有しており、縦偏光波（Ｓ偏光波）は、そのまま透過させ、横偏光波（Ｐ偏光波）は、その偏光方向を縦方向の偏光方向に変換して透過させる。このため、当該第２の表示部１３を透過する光の量を多くすることができ、明るい投射像を得ることができるようになっている。
【００１９】
超高輝度ＬＥＤ１４は、この第２の表示部１３の裏面側から光を照射する光源となっており、通常時（待ち受け時等）には、例えば２５ルーメン程度の放射束となるように発光駆動され、プロジェクタモード時には、例えば２００ルーメン程度の放射束となるように発光駆動される。すなわち、この第２の表示部１３は、携帯電話機の２つ目の表示部、及びプロジェクタ用の表示部として兼用されている。
【００２０】
図３に、この超高輝度ＬＥＤと通常のＬＥＤとの光度特性を示す。この図３は、横軸が、ＬＥＤに供給する電流の値（順方向電流値：mA）を、縦軸が、相対光度（％）を示している。この図３において、点線で示すグラフが通常のＬＥＤの光度特性を、実線で示すグラフが超高輝度ＬＥＤ１４の光度特性を示している。この図３からわかるように、超高輝度ＬＥＤ１４の場合、従来のＬＥＤと比較して高輝度で発光し、また、供給する電流値に応じて略々リニアに光量が向上することがわかるであろう。
【００２１】
〔プロジェクタモード〕
次に、当該携帯電話機におけるプロジェクタモード時における動作を説明する。
【００２２】
当該携帯電話機をプロジェクタとして使用する場合、一例ではあるが、図４に示すように、第２の表示部１３とスクリーン４１が相対向するように、当該携帯電話機を充電器４２に設置し、充電器４２の充電アダプタ４３をコンセント４４に挿入する。これにより、コンセント４４からの電力が、電源供給端子を介して当該携帯電話機に供給され、豊富な電力でプロジェクタモードが実行されることとなる。
【００２３】
なお、この例では、コンセント４４から提供される電源を用いることとしたが、これは、バッテリから供給される電源を用いるようにしてもよい。
【００２４】
図５のフローチャートに、このプロジェクタモード時における動作の流れを示す。当該携帯電話機をプロジェクタとして使用する場合、ユーザは、操作部７を操作して機能メニューの中からプロジェクタモードを選択し、実行を指定する。図５のフローチャートは、制御部１５が、このプロジェクタモードの指定操作を検出することでスタートとなり、以下に説明するステップＳ１〜ステップＳ４の各処理を実行制御する。
【００２５】
ステップＳ１では、制御部１５が超高輝度ＬＥＤ１４を発光駆動制御する。前述のように、制御部１５は、通常時には、例えば２５ルーメン程度の光量となるように超高輝度ＬＥＤ１４を発光駆動するのであるが、このプロジェクタモード時には、例えば２００ルーメン程度の光量となるように超高輝度ＬＥＤ１４を発光駆動する。
【００２６】
この超高輝度ＬＥＤ１４と第２の表示部１３との間には、図６に示すようにインテグレータレンズ３１（第１のレンズアレイ）、インテグレータレンズ３２（第２のレンズアレイ）、及びレンズ３３が設けられている。これら各レンズ３１〜３３は、超高輝度ＬＥＤ１４から出射される光を集光すると共に平行光化し、透過型カラーＬＣＤとなっている第２の表示部１３に照射する。このインテグレータレンズ３１，３２により、隅々まで明るい投射影像を得ることができる。
【００２７】
次に、ステップＳ２では、第２の表示部１３に表示する画像がメモリに記憶されている画像である場合、制御部１５が、ＲＡＭ９（内部メモリ或いは外部メモリ）から、ユーザにより指定された静止画像或いは動画像を読み出し制御し、この画像情報をデコード処理する。
【００２８】
次に、ステップＳ３では、制御部１５が、このデコード処理した画像情報に対応する表示画像を１８０度反転処理し、これを第２の表示部１３に表示制御する。これにより、第２の表示部１３に表示された画像が、スクリーン４１に投影されることとなる。
【００２９】
このようなステップＳ１〜ステップＳ３の処理は、ステップＳ４において、制御部１５が、プロジェクタモードの終了指定操作を検出するまで繰り返し実行される。
【００３０】
〔投影レンズ〕
ここで、この携帯電話機の場合、図２に示すように投影レンズ３６が設けられたパネル３５を有している。このパネル３５は、その両側面部３５ａに凸部をそれぞれ有しており、この凸部を、上筐体２１の両側面部に沿って設けられた凹部に係合させ、当該パネル３５をスライドさせることで、該パネル３５が上筐体２１に装着されるようになっている。投影レンズ３６は、第２の表示部１３と略々同じ大きさを有しており、パネル３５が上筐体２１に装着された際に、第２の表示部１３の前面（投影側）に位置するようになっている。
【００３１】
このパネル３５を装着してプロジェクタモードを実行することにより、図６に示すように第２の表示部１３に表示された画像が、パネル３５の投影レンズ３６を介してスクリーン４１に投影されることとなる。これにより、投影距離を延長することができる。
【００３２】
〔実施の形態の効果〕
今日において、市販されているプロジェクタは、年々小型化されているとはいえ、未だにサイズが大きく、気軽に持ち運んで使用できるものはなかった。このため、例えばプロジェクタが準備されていない会議室でプロジェクタを用いる場合には、別の場所からプロジェクタを運ぶ必要があった。
【００３３】
しかし、当該実施の形態の携帯電話機は、略々掌に収まるサイズであり、非常に軽量であるため、任意の場所に簡単に持ち運んで使用することができる。
【００３４】
また、プロジェクタの光源としては、水銀ランプを用いるのが一般的なのであるが、この水銀ランプは高価なうえ、寿命が短く、また、交換作業が煩雑となる欠点がある。
【００３５】
しかし、当該実施の形態の携帯電話機は、光源として超高輝度ＬＥＤ１４を用いているため、安価かつ長寿命、そして、交換作業の簡素化を図ることができる。
【００３６】
また、光源として超高輝度ＬＥＤ１４を用いているため、
・水銀ランプ等のランプを用いた場合よりも消費電力を大幅に削減することができる
・電源を投入してからプロジェクタの使用が可能となるまでの時間を短縮化することができる
・電源をオフした際のクールダウンを不要とすることができる
等の効果を得ることができる。
【００３７】
また、当該実施の形態の携帯電話機は、第２の表示部１３を、携帯電話機の２つ目の表示部及びプロジェクタ用の表示部として兼用しているため、超高輝度ＬＥＤ１４と第２の表示部１３との間に、インテグレータレンズ３１〜レンズ３３を設けるだけで、プロジェクタ機能を実現することができる。
【００３８】
本件出願人が当該実施の形態の携帯電話機を試作実験した結果、現状の携帯電話機の上筐体２１の厚みの範囲内で、超高輝度ＬＥＤ１４，インテグレータレンズ３１〜レンズ３３及び第２の表示部１３を設置することができ、現状の携帯電話機の大きさを維持したうえで、十分実現できることが確認された。
【００３９】
〔変形例〕
なお、上述の実施の形態の説明では、本発明を携帯電話機に適用することとしたが、本発明は、携帯用の端末装置であれば、この携帯電話機の他、ＰＨＳ電話機（Personal Handyphone System），ＰＤＡ装置（Personal Digital Assistant）等に適用してもよい。
【００４０】
また、サブ表示部となる第２の表示部１３をプロジェクタ用の表示部として用いることとしたが、メイン表示部となる第１の表示部１２をプロジェクタ用の表示部として用いるようにしてもよい。
【００４１】
また、パネル３５を上筐体２１に装着することで投影レンズ３６を付加することとしたが、これは、通常時には第２の表示部１３の前面から投影レンズ３６を待避させ、プロジェクタ使用時に第２の表示部１３の前面に投影レンズ３６を位置させる回転機構或いはスライド機構により、投影レンズ３６を付加するようにしてもよい。
【００４２】
最後に、上述の実施の形態は本発明の一例である。このため、本発明は、上述の実施の形態に限定されることはなく、該実施の形態以外であっても、本発明に係る技術的思想を逸脱しない範囲であれば、設計等に応じて種々の変更が可能であることは勿論であることを付け加えておく。
【図面の簡単な説明】
【００４３】
【図１】本発明を適用した実施の形態となる携帯電話機のブロック図である。
【図２】上記携帯電話機の外観を示す斜視図である。
【図３】上記携帯電話機に設けられている超高輝度ＬＥＤの光度特性を示す図である。
【図４】上記携帯電話機をプロジェクタとして使用する場合の使用形態を示す模式図である。
【図５】上記携帯電話機のプロジェクタモードの動作の流れを示すフローチャートである。
【図６】上記携帯電話機の光学系を示す図である。
【符号の説明】
【００４４】
１  アンテナ、２  通信回路、３  スピーカ部、４  マイクロホン部、５  カメラ部、６  撮像制御部、７  操作部、８  ＲＯＭ、９  ＲＡＭ、１０  テレビジョンアンテナ、１１  チューナ、１２  第１の表示部、１３  第２の表示部、１４  超高輝度ＬＥＤ、１５  制御部、２１  携帯電話機の上筐体、２２  携帯電話機の下筐体、２３  ヒンジ部、３１  インテグレータレンズ、３２  インテグレータレンズ、３３  レンズ、３５  パネル、３６  投影レンズ、４１  スクリーン、４２  充電機、４３  アダプタ、４４  コンセント
【図１】
2005191838.tif 000003
【図２】
2005191838.tif 000004
【図３】
2005191838.tif 000005
【図４】
2005191838.tif 000006
【図５】
2005191838.tif 000007
【図６】
2005191838.tif 000008